(57)【要約】【目的】    ペットに夏期等にはペットを涼しくさせることができ、冬季には暖かくすることができ、しかも長時間にわたって保冷体、保温体の保冷力、保温力を維持することができ、安価でかつ屋外でも使用可能なペット用マットとする。【構成】  保冷剤１１０が充填された保冷体１００と、この保冷体１００が収納されるペット用マット本体２００とを備えており、前記保冷体１００の一面には薄板１３０が取り付けられており、前記ペット用マット本体２００は、開閉手段であるスライドファスナー２３０で開閉可能になった袋状に形成されており、少なくとも内側素材２１１、２２１及び外側素材２１３、２２３と、この内側素材２１１、２２１と外側素材２１３、２２３との間に介在された綿素材２１２、２２２とを有している。【選択図】      図１
2006304722.tif 000002
【特許請求の範囲】
【請求項１】
保冷剤が充填された保冷体と、この保冷体が収納されるペット用マット本体とを具備しており、前記保冷体の一面には薄板が取り付けられており、前記ペット用マット本体は、開閉手段で開閉可能になった袋状に形成されており、少なくとも内側素材及び外側素材と、この内側素材と外側素材との間に介在された綿素材とを有していることを特徴とするペット用マット。
【請求項２】
保温剤が充填された保温体と、この保温体が収納されるペット用マット本体とを具備しており、前記保温体の一面には薄板が取り付けられており、前記ペット用マット本体は、開閉手段で開閉可能になった袋状に形成されており、少なくとも内側素材及び外側素材と、この内側素材と外側素材との間に介在された綿素材とを有していることを特徴とするペット用マット。
【請求項３】
前記薄板は、ウレタンフォームからなる板材であることを特徴とする請求項１又は２記載のペット用マット。
【請求項４】
前記ウレタンフォームからなる薄板は、厚さが１０ｍｍ以下であることを特徴とする請求項３記載のペット用マット。
【発明の詳細な説明】
【技術分野】
【０００１】
本発明は、夏期等の温度が高い季節において、犬等のペットを横臥させて涼しくさせ、冬季等の温度が低い季節において、犬等のペットを横臥させて温めるペット用マットに関する。
【背景技術】
【０００２】
この種のペット用マットとしては、特開２００４−１７９５１３号公報（特許文献１）に記載された保冷用品がある。
この保冷用品は、『保冷性能を有する保冷体を出し入れするための開口部を有する袋体からなる保冷マットにおいて、前記袋体の内側の面には、前記保冷体を収納するための少なくとも１つ以上のポケット部が設けられ、前記袋体は、アルミシートを含む多層構造の可撓性シートを袋状に形成』したものである。
また、この種のものとしては、実用新案登録第３０８０８６８号公報記載のものや特許公報第２９３４６４０号公報記載のものがある。
【０００３】
【特許文献１】特開２００４−１７９５１３号
【特許文献２】実用新案登録第３０８０８６８号
【特許文献３】特許公報第２９３４６４０号
【発明の開示】
【発明が解決しようとする課題】
【０００４】
しかしながら、上述したペット用マットは使用するペットに冷たさを感じさせことを主目的とするならば、保冷時間が短くなり、保冷時間を長くすることを主目的とすると、逆にペットに冷たさを感じさせられなくなるという問題があった。
【０００５】
すなわち、ペットに冷たさを感じさせることを主目的とするならば、保冷体とペットとの間に介在される部材を極力薄くすることが必要があるため、保冷体が早く保冷力を失う結果となる。また、逆に保冷時間を長くすることを主目的とするならば、保冷体とペットとの間に介在される部材を極力厚くすることが必要があるため、冷たさがペットに伝わりにくくなるという結果となる。
【０００６】
また、このペット用マットは、単に涼しくするだけであって、冬季等に温めるという機能をもっていないものであった。涼しくするとともに、温める機能を有するものとしては、ペルチエ素子を用いたものがあるが、屋外で使用できないとともに、高価であるという問題点があった。
【０００７】
本発明は、上記事情に鑑みて創案されたもので、ペットに夏期等にはペットを涼しくさせることができ、冬季には暖かくすることができ、しかも長時間にわたって保冷体、保温体の保冷力、保温力を維持することができ、安価でかつ屋外でも使用可能なペット用マットを提供することを目的としている。
【課題を解決するための手段】
【０００８】
本発明に係るペット用マットは、保冷剤が充填された保冷体と、この保冷体が収納されるペット用マット本体とを備えており、前記保冷体の一面には薄板が取り付けられており、前記ペット用マット本体は、開閉手段で開閉可能になった袋状に形成されており、少なくとも内側素材及び外側素材と、この内側素材と内側素材との間に介在された綿素材とを有している。
【０００９】
また、本発明に係る他のペット用マットは、保温剤が充填された保温体と、この保温体が収納されるペット用マット本体とを備えており、前記保温体の一面には薄板が取り付けられており、前記ペット用マット本体は、開閉手段で開閉可能になった袋状に形成されており、少なくとも内側素材及び外側素材と、この内側素材と外側素材との間に介在された綿素材とを有している。
【発明の効果】
【００１０】
本発明に係るペット用マットは、犬等のペットがペット用マットの上に載っかると、ペットの体重により綿素材が押しつぶされる。このため、ペットと保冷体との間には、外側素材、押しつぶされて薄くなった綿素材及び内側素材が介在することになる。よって、ペットには保冷体からの冷たさが伝わりやすく、ペットにとって快適な環境を提供することができる。
一方、ペットがペット用マットの上に載っかっていない状態だと、綿素材は押しつぶされることなく、ふんわりとした状態を維持する。このため、綿素材の内部に断熱性に優れた空気が保冷体を包み込むことになるので、保冷体の保冷効果が長持ちする。
【００１１】
また、前記薄板は、ウレタンフォームからなる板材であると、保冷体の周囲に万が一結露が生じたとしても外部に漏れることなく、ペットに冷たさを十分に伝えることができる。
【００１２】
さらに、レタンフォームからなる薄板の厚さが１０ｍｍ以下であると、ペットに伝わる冷たさが最適となるとともに、保冷体の保冷力を長時間にわたって維持できることが実験で確認されている。
【発明を実施するための最良の形態】
【００１３】
図１は本発明の実施の形態に係るペット用マットの概略的断面図、図２は本発明の実施の形態に係るペット用マットの概略的斜視図である。
【００１４】
本発明の実施の形態に係るペット用マットは、保冷剤１１０が充填された保冷体１００と、この保冷体１００が収納されるペット用マット本体２００とを備えており、前記保冷体１００の一面には薄板１３０が取り付けられており、前記ペット用マット本体２００は、開閉手段であるスライドファスナー２３０で開閉可能になった袋状に形成されており、少なくとも内側素材２１１、２２１及び外側素材２１３、２２３と、この内側素材２１１、２２１と外側素材２１３、２２３との間に介在された綿素材２１２、２２２とを有している。
【００１５】
前記保冷体１００は、例えば、水が含有された吸水性ポリマーからなる保冷剤１１０を合成樹脂製のパック１２０に充填してなるものである。この保冷体１００は、冷蔵庫等で冷凍して使用するものである。
また、この保冷体１００は、後述するペット用マット本体２００の形状に合致する、すなわちペット用マット本体２００の内側に収納することができるような形状、大きさに設定されていることはいうまでもない。
【００１６】
さらに、かかる保冷体１００を構成するパック１２０の内側の一面には、ウレタンフォームからなる厚さ１０ｍｍの板材である薄板１３０が取り付けられている。
なお、薄板１３０の厚さを１０ｍｍとしたのは、１０ｍｍより厚いと、保冷体１００からの冷たさがペットに伝わりにくいためである。薄板１３０の厚さが１０ｍｍ未満であると冷たさはペットに十分伝わりすぎる可能性があるためである。
【００１７】
一方、前記ペット用マット本体２００は、同じ大きさの角部が丸められた略矩形状の上側構成部２１０と下側構成部２２０とを縫合等で連結して袋状とし、開口している部分には開閉手段であるスライドファスナー２３０を取り付けたものである。従って、このペット用マット本体２００には、スライドファスナー２３０を開けた状態での保冷体１００の出し入れが可能になっている。
【００１８】
前記上部構成部２１０の一番内側、すなわち保冷体１００に最も近い位置には、内側素材２１１が位置している。この内側素材２１１は、例えば、ナイロン等の合成繊維から構成されている。
【００１９】
さらに、前記内側素材２１１の上には、厚さが約３０ｍｍの綿素材２１２が位置している。この綿素材２１２としては、コットン綿の他に、テビロン綿、ナイロン綿、アクリル綿、ポリエステル綿などの合繊綿が用いられる。ここで、綿素材２１２を用いたのは以下の理由による。すなわち、綿素材２１２は、ペットの犬等がペット用マットの上に載っかった状態では潰れて薄くなるため、保冷体１００からの冷たさが伝わりやすいという利点がある。また、ペットの犬等がペット用マットの上に載っかっていない場合には、潰れることなく、保冷体１００とペット用マットの外側との間の距離を大きくするとともに、断熱性に優れた空気が保冷体１００と外側との間に大量に介在するため、保冷力に優れているのである。すなわち、換言すると、綿素材２１２を用いることにより、保冷力に優れているわりに、使用時に冷たさが伝わりやすいというメリットがあるのである。
【００２０】
また、外側素材２１３は、綿素材２１２の上に位置し、内側素材２１１とで、綿素材２１２をサンドイッチしている状態になっている。この外側素材２１３は、内側素材２１１と同様にナイロン等の合成繊維から構成されている。この外側素材２１３の縁部を内側素材２１１の縁部と縫合で連結することにより、内側に綿素材２１２をサンドイッチした状態で上側構成部２１０が構成されているのである。
【００２１】
なお、上側構成部２１０の内部で綿素材２１２がずれないように、上側素材２１３と綿素材２１２とは図示しないステッチで縫合されている。
【００２２】
一方、前記下側構成部２２０も、上述した上側構成部２１０と同様の構成になっている。すなわち、下部構成部２２０の一番内側、すなわち保冷体１００に最も近い位置には、ウレタン等の合成繊維からなる内側素材２２１が位置している。この内側素材２２１の上には、コットン綿や合繊綿からなる厚さが約３０ｍｍの綿素材２２２が位置している。また、外側素材２２３は、綿素材２２２の上に位置し、内側素材２２１とで、綿素材２２２をサンドイッチしている状態になっている。この外側素材２２３は、内側素材２２１と同様にナイロン等の合成繊維から構成されている。この外側素材２２３の縁部を内側素材２２１の縁部と縫合で連結することにより、内側に綿素材２２２をサンドイッチした状態で下側構成部２２０が構成されているのである。
【００２３】
このように構成された上側構造部２１０と下側構造部２２０を縫合等で連結することにより、袋状のペット用マット本体２００を構成するのである。なお、縫製等で連結されていない部分には、上述したように、開閉手段であるスライドファスナー２３０が取り付けられている（図２参照）。
【００２４】
使用する際には、冷蔵庫等で冷却した保冷体１００をペット用マット本体２００の内部に収納し、スライドファスナー２３０を閉じる。
【００２５】
特に暑い場合には、保冷体１００の内部の薄板１３０が下側に位置するように保冷体１００をペット用マット本体２００の内部に収納する。
【００２６】
この状態で、犬等のペットがペット用マットの上に載っかると、ペットの体重により上側構成部２１０の綿素材２１２が押しつぶされる。このため、ペットと保冷体１００の保冷剤１１０との間には、内側素材２１１、押しつぶされて薄くなった綿素材２１２及び外側素材２１３が介在することになる。よって、ペットには保冷体１００からの冷たさが伝わりやすく、ペットにとって快適な環境を提供することができる。
【００２７】
一方、ペットがペット用マットの上に載っかっていない状態だと、綿素材２１２は押しつぶされることなく、ふんわりとした状態を維持する。このため、綿素材２１２の内部に断熱性に優れた空気が保冷体１００を包み込むことになるので、保冷体１００の保冷効果が長持ちする。
【００２８】
それほど暑くない場合には、保冷体１００の内部の薄板１３０が上側に位置するように保冷体１００をペット用マット本体２００の内部に収納する。
【００２９】
この状態で、犬等のペットがペット用マットの上に載っかると、ペットの体重により上側構成部２１０の綿素材２１２が押しつぶされる。このため、ペットと保冷体１００の保冷剤１１０との間には、薄板１３０、内側素材２１１、押しつぶされて薄くなった綿素材２１２及び外側素材２１３が介在することになる。よって、薄板１３０を下側に位置させた場合よりも、保冷体１００の冷たさが伝わりにくいが、ある程度には冷たさが伝わり、ペットにとって快適な環境を提供することができる。
【００３０】
例えば、、保冷体１００を−２５℃の冷凍庫内で２４時間放置した後、ペット用マット本体２００に収納し、外気が３０〜３２℃の雰囲気下に放置した場合、ペット用マット本体２００の表面温度、保冷体１００の温度、外気温度は以下のように変化した。
【００３１】
経過時間    ペット用マット本体の表面温度    保冷体の温度    外気温度
０時間              １７℃                      −８℃      ３０〜３２℃
１時間              １７℃                        １℃      ３０〜３２℃
２時間              １７℃                        ２℃      ３０〜３２℃
３時間              １７℃                        ２℃      ３０〜３２℃
４時間              １７℃                        ２℃      ３０〜３２℃
５時間              １７℃                        ２℃      ３０〜３２℃
６時間              １７℃                        ２℃      ３０〜３２℃
７時間              １７℃                        ２℃      ３０〜３２℃
８時間              １７℃                        ２℃      ３０〜３２℃
９時間              １７℃                        ２℃      ３０〜３２℃
10時間              １７℃                        ３℃      ３０〜３２℃
11時間              １８℃                        ５℃      ３０〜３２℃
12時間              １９℃                        ７℃      ３０〜３２℃
13時間              ２０℃                      １０℃      ３０〜３２℃
14時間              ２２℃                      １４℃      ３０〜３２℃
15時間              ２３℃                      １７℃      ３０〜３２℃
16時間              ２５℃                      ２０℃      ３０〜３２℃
【００３２】
すなわち、外気温度が３０〜３２℃とかなり暑い状態にもかかわらず、ペット用マット本体２００の表面温度は、１０時間にもわたって１７℃を維持し、１６時間経過時でも２５℃を維持している。これは、このペット用マットが、綿素材２１２を設けたため、断熱性に優れた空気が保冷体１００と外側との間に大量に介在させることができ、これにより優れた保冷力を有していることを示している。なお、このペット用マットは、従来のもののようにペルチエ素子のような電子素子を利用していないので、安価に提供することが可能であるし、なにより電源のない屋外でも使用することができるというメリットがある。
【００３３】
また、保冷体１００の代わりに、温かさを維持する保温体を使用すれば、寒い冬季等にペットを温めることができる。この場合にも、ウレタンフォームからなる薄板を上側にするか下側にするかによって温度を調整することができる。綿素材の存在に起因する長時間の保温効果も上述したものと同様である。
【００３４】
なお、上述した実施の形態では、開閉手段としてスライドファスナー２３０を例に挙げたが、本発明がこれに限定されるものでないことはいうまでもない。例えば、面ファスナー、接着テープ、ボタン等の他の開閉手段であってもよい。
【００３５】
また、ペット用マット本体２００は、別々に構成された上側構造部２１０と下側構造部２２０とから構成されるとしたが、内側素材、綿素材及び外側素材に相当するものを二つ折りにして、対抗する２辺を縫製等で連結するようにして構成することも可能である。
【００３６】
また、上側構造部２１０と下側構造部２２０とから構成する場合には、上側構造部２１０と下側構造部２２０とを縫製で連結するようにしたが、他の適宜な手段、例えば、熱溶着や接着テープ等で連結するようにしてもよい。ただし、縫製が最も強固かつ容易にできることから、洗濯等を考慮すると、縫製が最も好ましいものとなる。
【図面の簡単な説明】
【００３７】
【図１】本発明の実施の形態に係るペット用マットの概略的断面図である。
【図２】本発明の実施の形態に係るペット用マットの概略的斜視図である。
【符号の説明】
【００３８】
１００    保冷体
１１０    保冷剤
１３０    薄板
２００    ペット用マット本体
２１１、２２１  内側素材                                                        ２１２、２２２  綿素材
２１３、２２３  外側素材
２３０    スライドファスナー（開閉手段）
【図１】
2006304722.tif 000003
【図２】
2006304722.tif 000004